(57)【要約】  本発明は、歯冠側端部、歯根尖側端部、及び歯冠側端部と歯根尖側端部との間に延びる縦軸を含む歯科コンポーネントを提供することにより、上記の目的に取り組んでいる。また、歯科コンポーネントは、別の歯科コンポーネントへの組み立てのための界面を含み、この界面は、歯科コンポーネントを他の歯科コンポーネントに回転係止するための少なくとも１つの割出し部と、少なくとも１つの誘導部とを含む。少なくとも１つの誘導部と少なくとも１つの割出し部は、縦軸の周りで交互になっており、誘導部は、歯根尖側に面するまたは歯冠側に面する誘導面を含む。さらに、誘導面の少なくとも一部に対する接線は、縦軸の周りで次の割出し部に向かって勾配を有する。【選択図】図２ａ
2020530329.tif 000002
【特許請求の範囲】
【請求項１】
歯科組立体用の歯科コンポーネント（１０、４０）であって、
歯冠側端部、歯根尖側端部、及び前記歯冠側端部と前記歯根尖側端部の間を延びる縦軸（Ｌ）、ならびに
別の歯科コンポーネントに対する組立体用の界面（２０、５０）
を含み、前記界面が、
前記歯科コンポーネントを他方の歯科コンポーネントに回転係止するための少なくとも１つの割出し部（２４、５４）、及び
前記他方の歯科コンポーネントを、前記縦軸を中心に次の割出し部に向けて誘導するための少なくとも１つの誘導部（２２、５２）
を含み、
前記少なくとも１つの誘導部と前記少なくとも１つの割出し部は、前記縦軸の周りで交互になっており、
前記誘導部は、歯根尖側に面する（２３）または歯冠側に面する（５３）誘導面を含む、
歯科コンポーネント。
【請求項２】
前記誘導面（２３、５３）の少なくとも一部に対する接線が、前記縦軸の周りで前記次の割出し部に向かって勾配を有する、請求項１に記載の歯科コンポーネント。
【請求項３】
前記界面（２０、５０）が、前記歯科コンポーネントの前記縦軸（Ｌ）の方向に力を伝達するための嵌合面（２７）をさらに含み、前記嵌合面が前記誘導面（２３、５３）と同じ方向を向いており、前記縦軸の周りに延び、前記嵌合面の少なくとも一部は、前記誘導部（２２、５２）と前記割出し部（２４、５４）に対して半径方向に隣接して配置されている、請求項１または２に記載の歯科コンポーネント（１０、４０）。
【請求項４】
各割出し部（２４、５４）は、２つの境界線（２４ａ、２４ｂ、５４ａ、５４ｂ）の間に画定され、各前記境界線は前記誘導面（２３、５３）に隣接し、前記境界線は、前記割出し部のプロファイルに沿って境界点（２４ａ’、２４ｂ’、５４ａ’、５４ｂ’）を形成し、前記２つの境界点のいずれか１つへの接線は、前記誘導部のプロファイルに対するいずれの接線よりも大きい絶対勾配を有し、前記境界点の前記２つの接線は、好ましくは同じ絶対勾配を有する、請求項１または３のいずれか１項に記載の歯科コンポーネント（１０、４０）。
【請求項５】
前記境界点（２４ａ’、２４ｂ’、５４ａ’、５４ｂ’）のそれぞれに対する前記接線が、前記縦軸（Ｌ）に対して０°〜１０°の範囲、好ましくは０°〜５°の範囲の絶対角度を有する、請求項４に記載の歯科コンポーネント（１０、４０）。
【請求項６】
各境界線（２４ａ、２４ｂ、５４ａ、５４ｂ）が割出し面の一部であり、好ましくは線形割出し面（２５、５５）である、請求項４または５に記載の歯科コンポーネント（１０、４０）。
【請求項７】
前記誘導部（２２、５２）及び前記割出し部（２４、５４）が、起伏のある、好ましくは連続的な表面（２３、２５、５３、５５）を前記歯科コンポーネントの前記縦軸（Ｌ）の周りに形成する、請求項１〜６のいずれか１項に記載の歯科コンポーネント（１０、４０）。
【請求項８】
前記少なくとも１つの誘導部（２２、５２）の前記誘導面（２３、５３）が、２つの誘導面の部分（２３ａ、２３ｂ、５３ａ、５３ｂ）、及び好ましくは前記２つの誘導面の部分の間に位置する取り付け接触面（２３ｃ、５３ｃ）を有し、前記取り付け接触面が前記縦軸（Ｌ）に垂直な平面に平行である、請求項１〜７のいずれか１項に記載の歯科コンポーネント（１０、４０）。
【請求項９】
前記２つの誘導面の部分（２３ａ、２３ｂ、５３ａ、５３ｂ）はそれぞれ少なくとも１つの接線を有し、前記縦軸に沿って同じ位置にある前記２つの誘導面の前記接線が、同じ絶対勾配を有するが符号は異なる、請求項８に記載の歯科コンポーネント（１０、４０）。
【請求項１０】
前記界面（２０、５０）は、少なくとも１つの半径方向に面する支持面（２８、５８）をさらに備え、前記支持面は、好ましくは前記割出し部（２４、５４）及び誘導部（２２、５２）に関して半径方向内側に位置し、及び／または前記界面の先端を形成する、請求項１〜９のいずれか１項に記載の歯科コンポーネント（１０、４０）。
【請求項１１】
前記嵌合面が円錐台状であり、及び／または前記縦軸（Ｌ）の周りのその延在部全体に沿って連続的な周期的関数として起伏する、請求項２〜１０のいずれか１項に記載の歯科コンポーネント（１０、４０）。
【請求項１２】
前記歯科コンポーネントは、歯科インプラント、アバットメント、またはマルチピース、例えばツーピースのアバットメントの歯冠側部または歯根尖側部である、請求項１〜１１のいずれか１項に記載の歯科コンポーネント（１０、４０）。
【請求項１３】
補綴物を取り付けるための歯科用組立体（１）であって、
界面の少なくとも一部が歯冠側歯科コンポーネント（１０）として歯根尖側に面している、請求項１〜１２のいずれか１項に記載の歯科コンポーネント（１０）、及び
界面の少なくとも一部が歯根尖側歯科コンポーネントとして歯冠側に面している、請求項１〜１２のいずれか１項に記載の歯科コンポーネント（４０）を備える、歯科用組立体（１）。
【請求項１４】
前記歯科用組立体を固定するための歯科用スクリュー（７０）をさらに備え、前記歯科用スクリューが所定の長さを有し、前記歯根尖側歯科コンポーネント（４０）が雌ねじ（４２）を含み、前記雌ねじは、前記歯根尖側歯科コンポーネントの前記縦軸（Ｌ）の一部に沿って配置され、前記歯冠側歯科コンポーネント（１０）の歯根尖側に面する界面（２０）と前記歯根尖側歯科コンポーネント（４０）の歯冠側に面する界面（５０）が最終的な位置に配置されている場合に、歯科用スクリューによってのみ係合できるようにする、請求項１３に記載の歯科用組立体（１）。
【請求項１５】
最終的な位置において、前記歯冠側歯科コンポーネント（１０）及び歯根尖側歯科コンポーネント（４０）のうちの１つの前記誘導部（２２、５２）が、前記歯冠側歯科コンポーネント及び歯根尖側歯科コンポーネントのうちの他方の前記割出し部（４４、５４）と離れている、請求項１３または１４に記載の歯科用組立体（１）。
【発明の詳細な説明】
【技術分野】
【０００１】
本発明は、別の対応する歯科コンポーネントに対して組み立てられるための界面を含む、少なくとも１本の歯を修復するための歯科コンポーネントに関する。本発明はさらに、歯科用組立体、及び界面の補助のもと歯科コンポーネントを設置する方法に関する。
【背景技術】
【０００２】
歯科修復物の技術分野における進歩のおかげで、これらの歯科修復物は、整容面でより満足のいくものになっただけでなく、生体適合性と生体力学的機能性に関しても進化した。これを達成するために、今日の歯科修復物は一般に、患者固有の歯科修復物の適合を可能にする、歯科インプラント、アバットメント、ブリッジ、スペーサ、上部構造、単一の補綴歯または複数の補綴歯などの複数の歯科コンポーネントの組立体になっている。これらのモジュール式歯科コンポーネントの組立体では、これらのコンポーネント間の接続を可能にする界面が、歯科修復物の組立体、したがって治療の成功に重要な役割を果たす。
【０００３】
これまでのところ、歯科コンポーネントの界面を開発する主な目的は、患者固有の適合のための柔軟性であった。この点で、１つまたは複数の補綴歯を支えるための所望の幾何学形状を達成するよう歯科コンポーネントを選択及び配置できるモジュール式システムを、歯科専門家に提供することが、目的である。隣接する歯科コンポーネント間を接続するには、これらのコンポーネント間を安定して接続するための界面が必要である。これらの界面は、好ましくは、個々の歯科コンポーネントを相互に配置または位置合わせさせるための複数のオプションも提供するべきである。結果として、これらの歯科コンポーネントは、互いに関連する所定の数の向きで歯科コンポーネントを組み立てることを可能にする、いわゆる割出し機構を含む。
【０００４】
しかし、特に、スペースと視界にかなり制限のある患者の口の中で歯科コンポーネントを互いに設置するとき、これらの割出し機構により、歯科コンポーネントの設置がいっそう難しくなる。一方で、あまりに簡単に多数の方向を利用できるようにすると、２つのコンポーネントが所定の位置に嵌合するが、これらのコンポーネントが互いに接近する。この相対的な位置は誤ったものである可能性がある。この誤りを修正するために、２つのコンポーネントを互いに離れるよう移動して、向きを変えて、再び共にする必要がある。一方、方向付けのオプションがほとんどないため、歯科専門家は、歯科コンポーネントの１つを他方の歯科コンポーネントに対して正しい方向に向けて、所望の半径方向と回転方向を有する２つのコンポーネント間の最終的な位置または嵌合関係に到達することが、いっそう難しくなる。
【０００５】
公知の割出し機構のさらに別の問題は、歯科コンポーネントの組み立てが完了したかどうかを示す歯科専門家向けのフィードバックがないことである。代わりに、歯科専門家は、歯科コンポーネントを回転させて割出し位置にあるかどうかを確認することを試みるといった検証を頼みにする必要がある。この検証が通常トルク制御なしで行われるため、この検証は組立体に追加の歪みを加え、インプラントに時期尚早に過度の負荷をかけるリスクがある。
【発明の概要】
【０００６】
上記に基づいて、本発明者らは、歯科補綴物を１つまたは複数のインプラントに取り付ける柔軟性が必要であるが、この柔軟性はさらなる複雑性を生じさせ、これらの歯科コンポーネントの設置がいっそう困難になるということを認識した。
【０００７】
これにより、本発明者らは、これらの歯科コンポーネントの界面に、組み立て中に歯科コンポーネント間の所定の相対的な位置または向きを見出すのに役立つ構造を設けるという考えを抱いた。言い換えると、これらの特徴は、歯科専門家が患者の治療中または歯科技工所でこれらのコンポーネントの嵌合する位置を見つけるのに役立つはずであるということである。
【０００８】
本発明の別の目的は、歯科コンポーネントが正しく設置されているかどうかを登録するために、組み立て中に歯科専門家にフィードバックを提供する機構を歯科コンポーネントに設けることであった。また、この目的は、特に歯科用スクリューで固定されている場合、早期の固定中に歯科コンポーネントが損傷するのを防ぐということが一部にあった。
【０００９】
さらに、歯科コンポーネントを修正または改正すべく歯科用組立体を解体することが容易いという点も、有害な物質または生物が歯科用組立体へ侵入することに対する予防措置を有する点とともに、望ましい特性として特定された。
【００１０】
これらの目的から生じている本発明は、独立請求項の主題によって定義される。それに従属する請求項は、好ましい実施形態を明示している。
【００１１】
本発明は、歯冠側端部、歯根尖側端部、及び歯冠側端部と歯根尖側端部との間に延びる縦軸を含む歯科コンポーネントを提供する。また、歯科コンポーネントは、別の歯科コンポーネントへの組み立てのための界面を含み、この界面は、歯科コンポーネントを他の歯科コンポーネントに回転係止するための少なくとも１つの割出し部と、隣にある割出し部に向けて縦軸の周りに他の歯科コンポーネントを誘導するための少なくとも１つの誘導部とを含む。少なくとも１つの誘導部と少なくとも１つの割出し部は、縦軸の周りで交互になっており、誘導部は、歯根尖側に面するまたは歯冠側に面する誘導面を含むことができる。
【００１２】
これまでに定義した歯科コンポーネントの界面は、双方とも、歯科コンポーネントの設置が完了したというフィードバックだけではなく、正しい組み立ての誘導を提供する。これは、少なくとも１つの誘導部と少なくとも１つの割出し部の縦軸の周りに交互に配置することにより達成される。言い換えれば、誘導部と割出し部は空間的に分離されている。この点で、少なくとも１つの誘導部及び少なくとも１つの割出し部は、縦軸を少なくとも部分的に、好ましくは完全に取り囲むように延びている。
【００１３】
さらに、少なくとも１つの誘導部によって提供される誘導がなされ、これは、対応するように設計された界面を備えた歯科コンポーネントを、次の割出しセクションに向かって誘導するように構成される。より具体的には、誘導部は、誘導を提供し、次の割出しセクションに向かって、つまりは組み立てられる位置に向かって、縦軸の周りでそれに沿って、所定の角度にわたって延在する。したがって、先行技術とは対照的に、歯科専門家は割出し位置を見出すよう補助される。割出し部では、回転係止が発生し、歯科コンポーネントは他の歯科コンポーネントに対して最終的な位置に到達する、すなわち歯科コンポーネントは軸方向、半径方向、及び／または回転方向に位置合わせされ、歯根尖側コンポーネントと歯科の歯冠側コンポーネント間の距離は最小である。
【００１４】
歯科コンポーネントを相対的に回転させている間に割出し位置に達すると、２つのコンポーネントの割出し部が互いに協力し、歯科コンポーネントは他方の歯科コンポーネントに対して回転係止される。この係止動作は、縦軸を中心とした他方の歯科コンポーネントに対するいかなる歯科コンポーネントのさらなる相対回転をも防止し、また、歯科コンポーネントの移動の軌跡によって、歯科コンポーネントの組み立てが完了したという触覚フィードバックを歯科専門家に与える。言い換えれば、誘導の移動の軌跡は、割出しの移動の軌跡とは異なり、歯科専門家への触覚フィードバックをもたらす。
【００１５】
回転係止は、以下により詳細に説明するように、形状の適合または自動係止摩擦によって達成することができる。所望の最終的な位置が確立されると、歯科用スクリューまたはインプラントスクリューを締める間などに、歯科コンポーネントがその位置から回転できないという利点がある。したがって、歯科用スクリューを使用せずとも、いったん回転係止が得られたら歯科コンポーネントを定位置に保持することが容易になる。
【００１６】
誘導面は、誘導部を形成する界面の界面部分の凹部または突起の幾何学形状と寸法を画定する。誘導面に沿った各箇所（複数可）の勾配（複数可）は、表面が縦軸の周りに延びるときに表面プロファイルを形成する。この表面プロファイルは、誘導面の内側または外側の縁部、またはその間の任意の線をたどることで特定できる。表面プロファイルは、縦軸の周りに延び、その勾配のため、縦軸にも沿って延びている。言い換えれば、歯根尖側または冠状側に面する誘導面の表面プロファイルは、歯科コンポーネントの縦軸の周りの表面、例えば円筒面に、直線及び／または曲線を形成する。誘導面の幅、すなわち半径方向での誘導面の延在は、好ましくは縦軸に垂直である。
【００１７】
誘導部は、歯科コンポーネントを次の割出し部、したがって、対応するよう形成された別の歯科コンポーネントと接触する最終的な位置に向けて誘導するためのものであるため、誘導部は、一般的な組み立て方向で割出し部の前に位置している、つまり誘導面が面している歯科コンポーネントの先端に対してより近傍にある。換言すれば、歯科コンポーネントの歯冠側端部に位置される場合、誘導部は割出し部よりも歯冠側に位置し、逆もまた同様である。その結果、誘導部は、歯科コンポーネントの端部の方向において、割出し部に対して突出する。
【００１８】
最終的な位置にあるとき、ある歯科コンポーネントの誘導部は、別の歯科コンポーネントの割出し部に載るようになる。その結果、誘導部の幾何学形状及びサイズは、一般に、対応するように設計された別の歯科コンポーネントの割出し部に適合する。それにもかかわらず、１つの歯科コンポーネントのみを見る場合、誘導部と割出し部は、異なる幾何学形状と寸法を有することが好ましい。例えば、歯科コンポーネントの誘導部（複数可）は、割出し部（複数可）の全体の延在よりも大きいまたは小さい、縦軸周囲の全体の延在を備えることができる。
【００１９】
好ましい実施形態では、誘導面の少なくとも一部に対する接線は、縦軸の周囲の方向で、次の割出し部に向かって勾配を有する。
【００２０】
この好ましい実施形態における誘導面のこの構造的特徴により、誘導面は、他の歯科コンポーネントを次の割出し部に向かって誘導することが可能になる。
【００２１】
誘導面には、好ましくは単調であり、歯根尖側または歯冠側と面する次の割出し部に向かって勾配がある。別のコンポーネントと接触すると、コンポーネントの互いへの動きは、誘導面によって歯科コンポーネントの縦軸周りの回転運動に部分的に変換され、他の歯科コンポーネントと比較して、歯科コンポーネントの回転での位置合わせ及び／または半径方向の位置合わせに至る。この回転運動は、対応して設計された他方の歯科コンポーネントを、別の歯科コンポーネントの一部を受け入れるように形成された次の割出し部に誘導する。
【００２２】
誘導面は、誘導面の両端にある次の割出し部のいずれか（１つの誘導部及び割出し部のみ設けられる場合、同じ割出し部になる）に別の歯科コンポーネントを誘導する、誘導面に沿った接線の少なくとも１つの勾配で構成される。好ましくは、誘導面は、反対の符号を有する一般的な勾配を備えた２つの誘導面の部分を有する。この場合、各誘導面には頂点があり、そこで２つの誘導面の部分が交わる。この頂点は、歯科コンポーネントの先端の近傍、または先端にある誘導部の位置にあり、界面が配置される。さらにより好ましくは、誘導面は、別の歯科コンポーネントを最も近い割出し部に誘導するように構成される。これにより、割出し部の中間に頂点を備える誘導面に至る。
【００２３】
好ましい実施形態では、歯科コンポーネントの界面が、歯科コンポーネントの縦軸の方向に力を伝達するための嵌合面をさらに含み、嵌合面が誘導面と同じ方向を向いており、縦軸の周りに延び、嵌合面の少なくとも一部は、誘導部と割出し部に対して半径方向に隣接して配置されている。
【００２４】
歯科コンポーネント間で縦軸の方向に力を伝達するように構成された嵌合面を設けることにより、これらの力のいずれかが、歯科コンポーネントの割出し部及び誘導部を通して伝達されるのを防ぐことができる。これには、割出し部と誘導部が縦方向に係止されず、必要に応じて、歯科コンポーネントを簡単に解体できるようにするという利点がある。言い換えれば、この実施形態は、界面の異なる構造に対して、力の伝達の機能を、空間的に割り当てる。嵌合面がなければ、割出し部と誘導部がその機能を引き継ぐことができ、両者は逆にすることもできる。
【００２５】
この実施形態では、割出し部の回転係止機能は、好ましくは、以下でさらに説明するような形状の適合から生じる。嵌合面は、縦軸に対して半径方向に幅が備わっている。好ましくは、これは縦軸を完全に囲む。
【００２６】
嵌合面を介して伝達される力によって補助されて、嵌合面はまた、有害な生物または物質が歯科コンポーネントの内部に侵入して蓄積するのを防ぐシールも備える。歯科コンポーネントを効果的に密封するために、嵌合面は、好ましくは、誘導部及び割出し部に対して外側に位置し、さらにより好ましくは、歯科コンポーネントの外周まで延びる、つまり歯科コンポーネントの外縁も嵌合面の外縁を形成する。
【００２７】
別の好ましい実施形態では、各割出し部は２つの境界線の間に画定され、各境界線は誘導面の端部に隣接し、境界線は割出し部のプロファイルに沿って境界点を形成する。２つの境界点のいずれか１つへの接線は、誘導部のプロファイルへのいずれの接線よりも絶対勾配が大きくなる。さらに、境界点の２つの接線は、同じ絶対勾配を有することが好ましい。
【００２８】
２つの境界線は、縦軸の周りの各割出し部の延在部、及び好ましくは縦軸に対する半径方向の幅を画定する。したがって、２つの境界点は、割出し部によって形成されるプロファイルの各割出し部の限界を、または割出し部及び境界部によって形成される全体のプロファイルに沿って画定する。２つの境界点、すなわち境界線のいずれか１つに対する接線の絶対勾配は、誘導部、すなわち誘導面のプロファイルに沿った任意の点で接線の勾配よりも大きいので、割出し部は、別の歯科コンポーネントに対する回転係止として機能できる。さらに、歯科コンポーネントの回転係止を引き起こす割出し部の部分は、両方のセクションに沿った最大勾配の接線を有することが好ましい。
【００２９】
より大きな勾配により生じる動きから、歯科専門家は、歯科コンポーネントが割出し部に導かれたという触覚フィードバックが得られる。境界点の２つの接線の絶対勾配が同じ場合、両方の回転方向について同じフィードバックが提供される。
【００３０】
さらに、２つの境界線のそれぞれは、隣接する誘導面の端部に直接配置される。接線は、この位置での組み立ての方向に対応し、それに沿って別の歯科コンポーネントは、接触すると移動する。したがって、割出し面が存在しない場合、組立体の方向は基本的にインプラントの縦方向と平行になり、そのため、接線の絶対勾配は無限に等しくなる。
【００３１】
別の実施形態では、境界点のそれぞれに対する接線は、０°〜１０°の範囲、好ましくは０°〜５°の範囲の縦軸に対する絶対角度を有する。
【００３２】
この実施形態では、境界線の境界点に対する接線は、縦軸に対して同一、すなわち平行の勾配（０°）を有することができ、または最大１０°、好ましくは５°まで傾けることができる。０°の場合、境界点に対する接線が縦軸の周りの回転方向に垂直であるため、回転係止は形状の適合によって実現される。したがって、歯科コンポーネントが最終的な位置、すなわち別の歯科コンポーネントに対する端部位置にある場合、回転軸の周りの相対回転が防止される。
【００３３】
しかし、境界線に加えられたトルクに起因する垂直の力によって生じる摩擦力が、このトルクが歯科コンポーネントの縦方向の動きへと変形するのを防ぐのに十分であるため、上記の傾斜の範囲の境界点の勾配はまた、回転係止を生じる。
【００３４】
上記の範囲が好ましいが、係止の効果は最大３０°の範囲で、依然として達成できる。当業者は、この点での摩擦係数の影響、すなわち角度が大きいほどコンポーネント間の摩擦係数が高くなるということを認識されよう。
【００３５】
好ましい実施形態では、各境界線は割出し面の一部であり、好ましくは線形割出し面である。
【００３６】
割出し面は、より多くの支えとより確実な回転係止を実現させる。前述の範囲の勾配を備える線形割出し面の場合、係止はさらに改善される。これにより、歯科コンポーネントの組み立て時に歯科専門家に提供されるフィードバックも改善される。
【００３７】
別の特に好ましい実施形態では、誘導部及び割出し部は、歯科コンポーネントの縦軸の周りに起伏のある、好ましくは連続的な表面を形成する。
【００３８】
この実施形態では、割出し部と誘導部の両方が表面を含む。割出し面及び誘導面は、一緒になって、概ね縦軸の周りに延びる波状の面を形成する。好ましくは、表面は連続的であり、すなわちいずれの中断もないため、縦軸に沿って見たときに、縦軸の周りに連続的な延在部を有する。これには、縦軸に対して平行に部分的に延びる割出し面が含まれる。
【００３９】
起伏のある表面のプロファイルは、連続または不連続の関数によって定義される。説明のために、連続関数によって定義される起伏のある表面は、この表面のプロファイルに沿った各点に接線を有し、これらの接線のそれぞれは、無限大より小さい絶対勾配を有する。対照的に、起伏のある表面が不連続関数によって少なくとも１つの角度で定義されている場合、表面のプロファイルは、円筒座標系の縦軸について同じ角度φで複数の点、つまり同じ角度での複数の座標を有する。
【００４０】
さらに別の実施形態では、少なくとも１つの誘導部の誘導面は、２つの誘導面の部分と、好ましくは２つの誘導面の部分の間に位置する取り付け接触面とを有し、取り付け接触面は縦軸に垂直な平面に平行である。
【００４１】
この実施形態では、誘導部の一部としての取り付け接触面は、縦軸を囲む少なくとも１つの誘導部を延在し、前述の頂点を形成する。その結果、歯科コンポーネントの組み立て中、組み立てている間の歯科コンポーネントの時期尚早の回転係止が回避される。それどころか、歯科コンポーネントが最初に正しい向きまたは所定の向きで設置されていない場合、取り付け接触面は最初に、対応する歯科コンポーネントと接触することができる。接触すると、歯科コンポーネントを誘導面の１つに向かって回転させることができる。したがって、取り付け接触面により、歯科専門家は方向を選択及び変更できる。言い換えれば、取り付け接触面に沿った移動により、誘導面を選択することができる。選択された誘導面は、次いで、歯科コンポーネントを対応する割出し部に向けて誘導する。その結果、取り付け接触面は、歯科コンポーネントの端部にあるか、その先端に最も近い誘導部の一部となる。
【００４２】
好ましくは、歯科コンポーネント及び他方の歯科コンポーネントの少なくとも一方は、対応する界面の上記の時期尚早の係止を防止するための取り付け接触面を含む。
【００４３】
別の実施形態では、２つの誘導面の部分はそれぞれ少なくとも１つの接線を有し、縦軸に沿った同じ位置にある２つの誘導面の接線は、同じ絶対勾配を有するが、異なる符号を有する。
【００４４】
この実施形態では、２つの誘導面の部分は基本的に同じであるが反対のプロファイルを有する。その結果、このプロファイルに沿った勾配に起因して、両側で次の割出し部に同じ方法で誘導がなされ、両方の誘導面の部分に対して、歯科専門家に同じフィードバックが提供される。
【００４５】
別の実施形態では、界面は、少なくとも１つの半径方向に面する支持面をさらに含み、支持面は、好ましくは、割出し部及び誘導部に対して半径方向内側に位置し、及び／または界面の先端を形成する。
【００４６】
支持面は、円筒形及び／または円錐形であり、縦軸に沿って見たときに円形の輪郭を有する。界面のベースに配置しても、界面のベースを形成してもよい。この場合、誘導部と割出し部は、支持面よりも歯科コンポーネントの界面側の端部の近くに配置される。結果として、この半径方向に面する支持面は、歯科コンポーネント間での半径方向の力の伝達を補助する。
【００４７】
半径方向に面した支持面が縦軸に沿って延びる場合、誘導部を超えて、界面の端を形成するようにする。これにより、誘導部の前の組み立て中に、半径方向に面する支持面を、別の歯科コンポーネントと接触させることができる。その結果、初期の軸方向の位置合わせが容易になる。好ましくは、歯科コンポーネントの最初の組み立てをさらに促すために、歯科コンポーネントの先端の円筒または円錐の表面と支持面との間に、面取りが形成される。より具体的には、このような面取りは、歯科コンポーネントを別の歯科コンポーネントに挿入するのに役立つ。また、ベアリングと同様に、互いに関連する縦軸を中心とした歯科コンポーネントの回転を誘導する。
【００４８】
半径方向に面した支持面を割出し部と誘導部に対して半径方向内側に配置すると、これらのセクションの視認性が向上する。さらに、歯科コンポーネントの端部を形成する支持面及び／または特に内側にある支持面は、誘導部の構造を支持する。
【００４９】
さらに別の実施形態では、嵌合面は、好ましくは円錐台状であり、及び／または縦軸の周りのその延在部全体に沿った連続的な周期関数として、起伏がある。
【００５０】
円錐台状である嵌合面は、縦軸に対して半径方向にその延長、つまり幅をもたらし、縦軸に対して９０°以外の角度をなしている。円錐台状の表面は、円形、トリオバル、またはファセットにできる。好ましくは、縦軸に対する角度は、８５°〜９５°の範囲であり、より好ましくは８７°〜９３°である。円錐台状の嵌合面は自動調心であり、歯科治療の成功を脅かす可能性のある有害な生物または粒子の上記の侵入を防ぐための効率的なシール面を設ける。
【００５１】
上記の実施形態に加えて、歯科コンポーネントの所望の効果は、互い違いになる各タイプの２つ〜８つのセクション、すなわち誘導部及び割出し部を有する歯科コンポーネントの実施形態で、最もよく達成できることが、発明者によって見出された。さらにより好ましくは、セクションの数は３つ〜６つである。
【００５２】
すでに上述しているように、少なくとも１つの誘導部と少なくとも１つの割出し部の交互の配置により、誘導部と割出し部が空間的に分離される。その結果、すべての割出し部とすべての誘導部の角度の広がりの合計は３６０°になる。一実施形態では、割出し部と誘導部との間の角度の広がりの比は、０．２５〜４の範囲であり、より好ましくは０．５〜２の範囲である。
【００５３】
嵌合面、つまりそのプロファイルが連続的な関数によって定義される場合、この途切れのない表面は効果的なシールを実現する。嵌合面を定義する関数が周期的である場合、２つの歯科コンポーネントが相互に関連して最終的な位置にあるのであれば視覚的指標がさらに向上する。
【００５４】
さらに、別の実施形態では、歯科コンポーネントの少なくとも１つの誘導部は、スナップフィット機構を備えた突起または凹部として形成されてもよい。スナップフィット機構は、好ましくは、歯科コンポーネントの半径方向に面している。２つの歯科コンポーネントの最終的な位置では、各誘導部は割出し部内に位置している。その結果、他の歯科コンポーネントのスナップフィット機構は、割出し部に形成される。これにより、１つの歯科コンポーネントのスナップフィット機構を、別の歯科コンポーネントのスナップフィット機構と係合させることができる。
【００５５】
本発明はまた、上記の歯科コンポーネント、特に、アバットメントまたはマルチピース、例えばツーピースの歯冠部、アバットメント、ブリッジ、デンタルバー、ヒーリングアバットメント、スペーサ、上部構造、単一の補綴歯または複数の補綴歯、印象コーピング、パーソナライズされたインプラントアバットメント、ＣＡＤ／ＣＡＭパーソナライズされたインプラントアバットメント、手動でカスタマイズ可能なアバットメント組立体、ヒーリングキャップ、カバースクリューを提供し、界面は歯科コンポーネントの歯根尖側端部に形成され、界面の少なくとも一部が、別の歯科コンポーネント、特に歯科コンポーネント、例えば歯科インプラント、アバットメントまたはツーピースのアバットメントの歯根尖側部分に対して組み立てられるよう歯根尖側に面するようにする。
【００５６】
さらに、歯科コンポーネントは、歯科用インプラント、アバットメント、またはマルチピース、例えばツーピースのアバットメントの歯冠側または歯根尖側の一部であり得る。
【００５７】
本発明は、補綴物を取り付けるための歯科用組立体をさらに提供し、歯科用組立体は、歯冠側歯科コンポーネントとして歯根尖側に面する界面の少なくとも一部を有する歯科コンポーネントと、歯根尖側歯科コンポーネントとして歯冠側に面する界面の少なくとも一部を有する歯科コンポーネントとを備える。
【００５８】
歯冠側歯科コンポーネントと歯根尖側歯科コンポーネントの界面は互いに対応しているため、組み立てられた状態では、それらは嵌合関係にある、つまり互いに関して最終的な位置にある。この最終的な位置では、歯冠側歯科コンポーネントと歯根尖側歯科コンポーネントは、互いに対して回転方向に係止される。
【００５９】
実施形態では、歯科用組立体は、所定の長さを有する、歯科用組立体を固定するための歯科用スクリューをさらに含み、歯根尖側歯科コンポーネントは雌ねじを含み、雌ねじは、歯根尖側歯科コンポーネントの縦軸の一部に沿って配置されて、歯冠側歯科コンポーネントの歯根尖側に面する界面と歯根尖側歯科コンポーネントの歯冠側に面する界面が最終的な位置に配置されている場合に、歯科用スクリューによってのみ係合できるようにする。
【００６０】
これまでに定義されたような歯科用スクリュー及び雌ねじを含むことは、歯科専門家が歯冠側歯科コンポーネント及び歯根尖側歯科コンポーネントを正しく組み立てるのを補助する別の特徴である。推定するに、２つのコンポーネントが最終的な位置にない場合、歯科専門家はそのことを認識する。これは、所定の長さの歯科用スクリューを使用してこれらのコンポーネントを互いに固定することができないためである。
【００６１】
別の実施形態では、歯冠側歯科コンポーネント及び歯根尖側歯科コンポーネントの一方の誘導部は、最終的な位置において、歯冠側歯科コンポーネント及び歯根尖側歯科コンポーネントの他方の割出し部まで離れている。
【００６２】
これらのコンポーネントが最終的な位置にある間、コンポーネントの一方の誘導部とコンポーネントの他方の割出し部との間であるこの距離は、縦方向の力が界面のこの部分によって伝達されるのを防ぐ。むしろ、そのような力は、界面の別の部分、好ましくは前述の嵌合面によって伝達される。したがって、２つのセクション間の距離は、歯科コンポーネントの縦方向に沿っている。誘導部と割出し部を含む界面の部分は、トルクと、縦軸に対して横方向に作用する力を伝達する。
【００６３】
本発明は、本発明の原理に基づく別のタイプの歯科コンポーネントも提供する。この歯科コンポーネントは、歯冠側端部、歯根尖側端部、及び歯冠側端部と歯根尖側端部との間に延びる縦軸、及び別の歯科コンポーネントへの組み立てのための界面を含む。界面は、歯根尖側または歯冠側に面する嵌合面を含む。嵌合面は、縦軸の周りに延び、その延在全体に沿って、連続的な周期関数、好ましくは正弦関数として起伏を備える。さらに、界面は、半径方向に面する支持面を備え、これは、好ましくは、嵌合面に対して半径方向内側に位置する。
【００６４】
歯科コンポーネントのこの実施形態では、嵌合面は、縦方向に力を伝達するだけでなく、歯科コンポーネントの円周方向に作用する力も伝達する。したがって、嵌合面はまた、別の歯科コンポーネントに対して最終的な位置にあるとき、割出し機構として機能する。好ましくは、この割出しは、先行するタイプの歯科コンポーネントの割出し部及び誘導部に関して上述したように、歯科コンポーネントが歯科用スクリューで固定されることなく回転を防ぐように設計される。
【００６５】
半径方向に面する支持面は、延在して、歯科コンポーネントの前の実施形態に関連して説明したように、歯科コンポーネントの界面側の端部を形成することが好ましい。
【００６６】
一実施形態では、嵌合面は円錐台状である。そのような表面は、有害な生物または物質の侵入から歯科用組立体を密閉することに関する前述の利点を有する。
【００６７】
さらに、本発明は、上記の界面を有する歯冠及び歯根尖側歯科コンポーネントを提供するステップ、すなわち界面が接触するまで、歯冠側歯科コンポーネントを歯根尖側歯科コンポーネントに向かって縦方向に移動するステップ；必要に応じて、２つの歯科コンポーネントを互いに対して回転させるステップ、この場合、歯科コンポーネントの一方の界面は、歯科コンポーネントの他方の界面を割出し位置に誘導し、２つの歯科コンポーネントが互いに対して関連する最終的な位置になるようにし、第１のタイプの歯科コンポーネントの誘導部または第２のタイプの歯科コンポーネントの嵌合面によって誘導が実行される；歯科用スクリューを使用して２つの歯科コンポーネントを固定するステップ、を含む歯冠側歯科コンポーネントを歯根尖側歯科コンポーネントに設置する方法を提供する。
【００６８】
一実施形態では、歯根尖側歯科コンポーネントは、患者の口内の上顎骨または下顎骨に事前に植込まれた歯科インプラントである。別の実施形態では、歯根尖側歯科コンポーネントは、好ましくは本発明による界面を備えた、歯科用インプラントに先行して取り付けられた他の上記の歯科コンポーネントの１つである。
【図面の簡単な説明】
【００６９】
以下の図面は、本発明の好ましい実施形態を例示している。これらの実施形態は、限定として解釈するべきではなく、単に本明細書とともに本発明の理解を深めるものと解すべきである。参照記号の最初の数字は、図の番号を指す。残りの数字について、同じ参照符号は、同じまたは同等の機能及び／または構造を有する図面全体の諸特徴を指す。その結果、これらの構成要素を繰り返し説明することが回避された。
【００７０】
【図１ａ−１ｂ】図１ａは、第１の実施形態による歯科コンポーネントとしてツーピースのアバットメントに接続されたインプラントを含む歯科用組立体の図である。図１ｂは、図１ａに示される歯科用組立体の縦軸に沿った断面図である。
【図１ｃ−１ｄ】図１ｃは、図１ａに示されるツーピースのアバットメントの歯冠側部の歯根尖側界面を示す斜めの底面図である。図１ｄは、図１ａに示されるツーピースのアバットメントの歯根尖側部の歯冠側界面を示す斜めの側面図である。
【図１ｅ】図１ｅは、図１ａに示されるツーピースのアバットメントの縦軸に沿った断面図である。
【図２ａ−２ｂ】図２ａは、第２の実施形態によるツーピースのアバットメントに属する歯冠側部の歯根尖側界面を示す斜めの底面図である。図２ｂは、第２の実施形態によるツーピースのアバットメントの歯根尖側部の歯冠側界面の斜めの側面図である。
【図３ａ−３ｄ】図３ａは、第３の実施形態によるツーピースのアバットメントに属する歯冠側部の歯根尖側界面を示す斜めの底面図である。図３ｂは、組み立て中に距離のある第３の実施形態による、図３ａに示される歯冠側部、及び図３ｄに示される、ツーピースのアバットメントの歯根尖側部のプロファイルを示すグラフである。図３ｃは、図３ｂに示されるツーピースのアバットメントのプロファイルを、互いに対して最終的な位置で示すグラフである。図３ｄは、第３の実施形態によるツーピースのアバットメントの歯根尖側部の歯冠側界面を示す斜めの側面図である。
【図４ａ−４ｂ】図４ａは、第４の実施形態によるツーピースのアバットメントに属する歯冠側部の歯根尖側界面を示す斜めの底面図である。図４ｂは、第４の実施形態によるツーピースのアバットメントの歯根尖側部の歯冠側界面を示す斜めの側面図である。
【図５ａ−５ｂ】図５ａは、第５の実施形態による歯科用組立体の縦軸に沿った断面図である。図５ｂは、第５の実施形態によるツーピースのアバットメントの歯根尖側部の歯冠側界面を示す斜めの側面図である。
【図６ａ−６ｂ】図６ａは、第６の実施形態によるツーピースのアバットメントの歯根尖側部の歯冠側界面を示す斜めの側面図である。図６ｂは、図６ａに示される歯根尖側部の側面図である。
【発明を実施するための形態】
【００７１】
図１ａ及び図１ｂは、歯科用組立体１０１の三次元の図解を示す。歯科用組立体は、歯科用インプラント１８０、インプラントスクリュー１８１、歯冠側歯科コンポーネント１１０及び歯根尖側歯科コンポーネント１４０を有するツーピースのアバットメント、及び歯科用スクリュー１７０を含む。図面では、ツーピースのアバットメントは、本発明による界面を利用できる歯科コンポーネントの例として説明されている。このアバットメントは、所望の向きと位置で歯科インプラントに歯科補綴物を配置する支えを提供できる。それにもかかわらず、本発明はまた、上に挙げた歯科コンポーネントのいずれにも適用することができる。
【００７２】
図１ｂに示されるように、ツーピースのアバットメントの歯根尖側歯科コンポーネント１４０は、インプラントスクリュー１８１を使用して歯科インプラント１８０に固定される。歯根尖側歯科コンポーネント１４０及び歯冠側歯科コンポーネント１１０は、歯科用スクリュー１７０で互いに固定される。さらに、歯冠側歯科コンポーネント１１０と歯根尖側歯科コンポーネント１４０との間の界面について、以下でより詳細に説明する。
【００７３】
図１の実施形態に示されるように、歯科用インプラント１８０と歯根尖側歯科コンポーネント１４０との間の界面は、ツーピースのアバットメントの２つのコンポーネント１１０と１４０との間の界面とは異なり得る。また、当業者は、歯科用インプラント１８０に対する界面が、歯科コンポーネント１１０と１４０との間で作用するものとしての界面の特徴に基づいてもよいことを理解されよう。
【００７４】
図１ｂに示すように、ツーピースのアバットメントの歯根尖側歯科コンポーネント１４０は、歯科用スクリュー１７０のねじ山と係合するための雌ねじを有することができる。歯根尖側コンポーネント１４０の貫通孔１４１における雌ねじ１４２の配置、歯冠側歯科コンポーネント１１０の縦軸Ｌに沿ったスクリューシート１１３の配置、及び歯科用スクリュー１７０の長さは、歯科用スクリュー１７０が歯冠側歯科コンポーネント１１０及び歯根尖側歯科コンポーネント１４０が互いに対して最終的な位置にある場合にのみ締結できるように選択される。
【００７５】
さらに、歯冠側コンポーネント１１０はまた、歯冠側歯科コンポーネントの貫通孔１１１に配置される雌ねじ１１２も有し得る。このねじ１１２は、組み立て前に歯科用スクリュー１７０を保持することができる。この配置は、歯科用スクリュー１７０を別個に挿入する必要がないため、患者の口内での組み立てを容易にする。これにより、組み立てている間にスクリューを紛失することが回避される。特に、患者の口内で組み立てている間（歯科技工所での組み立てと対照的）、患者がスクリューを飲み込んだり吸入したりするリスクが基本的に回避できる。
【００７６】
図１ｃ及び図１ｄに移ると、これらの図は、それぞれ歯冠側コンポーネント１１０と歯根尖側コンポーネント１４０をより詳細に示している。歯科コンポーネント１１０及び１４０の両方は、縦軸Ｌを有する。組み立てられた状態では、歯冠側歯科コンポーネント１１０及び歯根尖側歯科コンポーネント１４０の縦軸は、図１ａ及び図１ｂに示す縦軸Ｌを形成する。言い換えれば、組み立て中に縦軸が位置合わせされる。
【００７７】
図１ｃの歯冠側歯科コンポーネント１１０は、下からの三次元の図で示されている。その先端に、歯冠側歯科コンポーネント１１０は、歯根尖側界面１２０を含む。例示的な実施形態では、歯根尖側界面１２０は、歯冠側歯科コンポーネント１１０の縦軸Ｌを完全に取り囲むように、３つの割出し部１２４と交互に並ぶ３つの誘導部１２２を備える。その結果、歯科コンポーネント１１０と１４０の間で利用可能な３つの異なる相対的な方向がある。
【００７８】
本願のいずれかの図に示された実施形態は、歯根尖側及び歯冠側歯科コンポーネントについて同じ数の誘導部を示している。しかし、これらの歯科コンポーネントの一方の誘導部及び／または割出し部の数が他のコンポーネントの誘導部及び／または割出し部の数よりも少なくなるように実施形態を構成することも可能である。例えば、図１ｃに示されている歯冠側歯科コンポーネント１１０は、図示のように１つまたは２つの誘導部１２３ｃと、縦軸Ｌの周りの残りの角度に沿って延びる１つまたは２つの割出し部１２４とをそれぞれ有してよい。このような歯根尖側界面１２０は依然として、図１ｄに示されている歯根尖側歯科コンポーネント１４０の歯冠側界面１５０に対応している。結果として、２つのコンポーネント１１０及び１４０は、それらが半径方向及び回転方向に整列される最終的な位置に着くように互いに取り付けることができる。あるいは、図１ｄに示される歯根尖側歯科コンポーネント１４０は、それぞれ１つまたは２つの誘導部１５２のみ、及び／または１つまたは２つの割出し部１５４のみを有してもよい。割出し部が１つしかない場合、収容面１５７はまさに、縦軸Ｌの周りにさらに延びる。
【００７９】
界面１２０は、半径方向内側に面し、歯根尖側界面１２０の側で基本的に歯冠側歯科コンポーネント１１０の先端まで延びる半径方向に面する支持面１２８を含む。半径方向に面する支持面１２８は、組み立て中、縦軸中心の回転を補助し、次の割出し部１２４への誘導をもたらす。界面１２０はまた、頂部に面する嵌合面１２１を含む。さらに、歯冠側歯科コンポーネント１１０は、貫通孔１１１の内部に位置する雌ねじ１１２を含む。上述したように、雌ねじ１１２は、組み立て前に歯科用スクリューを保持することができる。
【００８０】
各誘導部１２２は、誘導面１２３を備え、好ましくはそれからなる。嵌合面１２１と同様に、誘導面１２３も頂点方向に面する。組み立てている間、誘導面１２３は歯根尖側歯科コンポーネント１４０を、縦軸Ｌ中心の回転方向で、次の割出し部１２４に誘導する。この機能の結果、誘導面１２３は、それらの延在部全体にわたって歯根尖側に面する面の諸部分からなる。誘導面１２３は、２つの誘導面の部分１２３ａ及び１２３ｂと、取り付け接触面１２３ｃとによって画定され得る。これらの表面のそれぞれの機能は、歯冠側歯科コンポーネント１１０を歯根尖側歯科コンポーネント１４０へ組み立てることに関して説明される。
【００８１】
好ましくは、誘導部１２２は、縦軸Ｌに沿って交差し延びる平面に対して対称である。これにより、縦軸Ｌが、この系の縦軸ｈである円筒座標系において、同じ表面プロファイルを有する誘導面の部分１２３ａ及び１２３ｂに至る（図３ｂ及び図３ｃを参照）。円筒座標系では、誘導面の部分１２３ａ及び１２３ｂのそれぞれは、少なくとも１つの勾配を有し、すなわち、それらは直線及び／または曲線プロファイルを有し、誘導面の部分１２３ａ及び１２３ｂの対応する勾配は反対の符号を有する。
【００８２】
割出し部１２４は、好ましくは、歯冠側歯科コンポーネント１１０を回転係止するためのものである。誘導部１２２と割出し部１２４は、縦軸Ｌを中心に交互に配置されるため、少なくとも２つの誘導部１２２と２つの割出し部１２４が設けられる場合、各割出し部１２４は２つの誘導部１２２の間に配置され、逆もまた然りである。各割出し部１２４は、それぞれ境界線１２４ａ及び１２４ｂで開始及び終了する。境界線１２４ａ及び１２４ｂは、各割出し部１２４のプロファイルの開始及び終了をマークする境界点１２４ａ’及び１２４ｂ’を画定する。定義により、表面のプロファイルまたは境界線１２４ａ及び１２４ｂのこれらの境界点１２４ａ’及び１２４ｂ’は、幅に沿っており、割出し部１２４に属する。
【００８３】
図１ｃに示される歯冠側歯科コンポーネント１１０の例示的な実施形態では、割出し部１２４は、２つの線形割出し面１２５を含む。割出し面は、それぞれ境界線１２４ａ、１２４ｂによって制限され、縦軸Ｌに対して実質的に平行に延びる。結果として、境界線１２４ａ及び１２４ｂ、すなわち境界点１２４ａ’及び１２４ｂ’のプロファイルでの接線の勾配と同様に、線形割出し面１２５のプロファイルの勾配は、上記の円筒座標系では無限である。結果として、割出し部１２４は、形状の適合により、歯根尖側歯科コンポーネント１４０などの別の歯科コンポーネントに対して回転係止するように構成される。この形状の適合により、縦軸に垂直な平面での縦軸Ｌ中心の回転は、他の歯科コンポーネントに伝達されるが、２つのコンポーネントが縦方向に分離されることは生じない。後者は、割出し面１２５が歯冠側歯科コンポーネント１１０の歯冠側端部に向かって縦軸Ｌに沿って十分に先細りになる場合に起こり得る。そのとき、先細りにより、上記のトルクは部分的に縦軸の方向に作用する力に変換され、部分的に円周方向に作用する力に変換される。２つの歯科コンポーネントを分離する動きをもたらすために、縦方向の力、すなわち先細りは、円周方向の力により作用する摩擦力を克服するのに十分な大きさでなければならない。
【００８４】
図１に示すように、各歯科コンポーネント１１０または１４０について、誘導部の幾何学形状及び寸法は、割出し部の幾何学形状及び寸法、特に縦軸Ｌを中心としたその延在と異なっている。しかし、歯冠側歯科コンポーネント１１０の界面１２０と歯根尖側歯科コンポーネント１４０の界面１５０が対応する性質であることに起因して、セクションの諸部分は、これらのコンポーネント間の最終的な位置を可能にすべく、対応する幾何学形状及び寸法を有する。
【００８５】
図１ｄは、歯根尖側歯科コンポーネント１４０を示す。歯根尖側歯科コンポーネント１４０は、歯冠側歯科コンポーネント１１０の歯根尖側界面１２０に対応する歯冠側界面１５０を備える。言い換えると、歯冠側界面１５０及び歯根尖側界面１２０は、互いに関して最終的な位置に係合することができるように設計されている。
【００８６】
歯根尖側コンポーネント１４０は、歯冠側歯科コンポーネント１１０の誘導部１２２及び割出し部１２４の数に対応する、所定の数の誘導部１５２及び割出し部１５４を含む。図１に示す実施形態では、歯科コンポーネント１１０及び１４０は、各タイプの３つのセクションが備えられている。前述したように、他の数のセクションを界面の構造に組み込んでもよく、それはまた、２つの歯科コンポーネント１１０及び１４０の組み立てを容易にすることができる。
【００８７】
歯根尖側歯科コンポーネント１４０の各誘導部１５２は、誘導面１５３を有する。誘導面１５３は、次に、２つの誘導面の部分１５３ａ及び１５３ｂに細分される。歯冠側歯科コンポーネント１１０の誘導部１２２とは対照的に、歯根尖側コンポーネントの誘導部１５２は、取り付け接触面を有さない。それにもかかわらず、いずれかまたは両方に、１つを含めることができる。
【００８８】
誘導面１５３の各端部は、境界線１５４ａ及び１５４ｂに隣接している。境界線１５４ａ及び１５４ｂは、誘導部１５４の外側の限界を画定する。誘導線１５４ａ及び１５４ｂの両側には、割出し面１５５があり得る。第１の実施形態において、割出し面の勾配は、基本的に縦軸Ｌに平行、つまり無限である。それでも、上で定義したような他の勾配を適用することができる。
【００８９】
各割出し部１５４の２つの割出し面１５５の間には、収容面１５７を延ばすことができる。例示的な実施形態では、収容面１５７、割出し面１５５、及び誘導面１５３は、縦軸Ｌに沿って（またはその方向に）起伏する、起伏のある面を形成し、一方でこの軸を囲む、すなわち起伏のある表面の振幅が縦方向に延びる。この起伏のある表面は、実質的に歯冠に面しており、縦軸Ｌに沿った視点から見たとき、実質的に環状の形状を有する。
【００９０】
貫通孔１４１の内部で、歯根尖側歯科コンポーネント１４０は雌ねじ１４２を含む。ねじ１４２は、歯科用スクリュー１７０（図１ａ及び図１ｂを参照）を使用して歯冠側歯科コンポーネント１１０を歯根尖側歯科コンポーネント１４０に固定するためのものである。
【００９１】
歯根尖側歯科コンポーネント１４０は、半径方向に面する支持面１５８をさらに含むことができる。歯冠側歯科コンポーネント１１０の半径方向に面する支持面１２８とともに最終的な位置に配置されるため、半径方向に面する支持面は、半径方向外向きに向く。歯冠側歯科コンポーネント１１０の半径方向に面する支持面１２８とは対照的に、半径方向に面する支持面１５８は、対応する歯冠側界面１５０の基部に設けられる。換言すれば、それは割出し部１５４及び誘導部１５２の前（または先端）に位置し、後者は、歯根尖側歯科コンポーネント１４０の先端を形成する。
【００９２】
半径方向に面する支持面１２８、１５８は両方とも先細り状または円筒状であってよい。組み立て中に係合されるとき、半径方向に面する支持面１２８、１５８は、半径方向に互いに接触または支持し、この方向の力の伝達を可能にする。この機能のために、半径方向に面する支持面１２８、１５８は、好ましくは、縦軸Ｌを完全に取り囲む少なくとも一部分を含む。
【００９３】
さらに、歯根尖側歯科コンポーネント１４０の界面１５０は、歯冠と面する嵌合面１５１を含むことができる。歯冠と面する嵌合面１５１は、好ましくは歯冠側界面１５０の外周に位置し、輪の形状を有する。ひとたび組み立てられると、歯冠と面する嵌合面１５１は、歯冠側歯科コンポーネント１１０の歯根尖側に面する嵌合面１２１と接触する。この接触により、嵌合面１２１及び１５１は、組み立てられた歯科コンポーネント１１０及び１４０の内側部分を、有害な生物または他の物質の侵入に対して密封することが好ましい。歯科用組立体１０１の使用において、嵌合面１２１及び１５１は、２つの歯科コンポーネント１１０及び１４０の間で縦方向に作用する力を伝達する。
【００９４】
誘導部１５２及び割出し部１５４の表面は、界面１５０における環状の突起の冠状の形状及び幅を規定する。これに対応して、歯冠側歯科コンポーネント１１０の誘導部１２２及び割出し部１２４は、環状の凹部の形状及び形態を規定する。その結果、歯科コンポーネント１１０及び１４０が最終的な位置にある場合、嵌合面１２１及び１５１が接触する。当業者には、界面のこの部分を、歯冠側歯科コンポーネント１１０の歯根尖側界面１２０の突起として、及び歯根尖側コンポーネント１４０の歯冠側界面１５０の凹部として形成することも可能であることが明確になる。他の形状がまた可能であり、想定されている（図５を参照）。
【００９５】
誘導面１５３及び割出し面１５５の一部によって画定される歯冠側界面１５０の構造は、半径方向に歯冠側に先細になる指状突起１５９を形成する。この先細りは、円筒状の半径方向に面する支持面１５８に隣接し、この面に対して傾斜を有する。突起１５９のこの先細りは、歯冠側界面１５０の突出部分を歯根尖側界面１２０の凹部へ挿入するのを容易にする。
【００９６】
歯冠側歯科コンポーネント１１０の歯根尖側歯科コンポーネント１４０への組み立ては、以下のように実行することができる。
【００９７】
歯科用インプラント１８０の挿入及び一般に治癒期間の後、図１ａ及び図１ｂに示される歯科用組立体１０１を形成するように、歯根尖側歯科コンポーネント１４０及び歯冠側歯科コンポーネント１１０を歯科インプラント１８０に組み立てることができる。例えば、補綴用の歯の設計及び／または適合のために、組み立ては歯科技工所で行うことができる。技工所で組み立てる場合、歯科用インプラント１８０は、歯科用インプラント類似体（図示せず）に置き換えることができる。
【００９８】
組み立ては、歯根尖側界面１９０及びインプラントスクリュー１８１によって、歯根尖側歯科コンポーネント１４０を歯科インプラント１８０に取り付けることから始まる。歯冠側歯科コンポーネント１１０の歯根尖側歯科コンポーネント１４０への組み立てを開始するとき、歯科用スクリュー１７０は、歯冠側歯科コンポーネント１１０の雌ねじ１１２と、すでに螺合していることが好ましい。上述のように、歯冠側歯科コンポーネント１１０及び歯根尖側歯科コンポーネント１４０は、この例では、ツーピースのアバットメントの部品である。当業者は、本発明の特徴を適用する上記の歯科コンポーネントの任意の他の組み合わせを代わりに使用できることを理解されよう。
【００９９】
歯冠側歯科コンポーネント１１０を歯根尖側歯科コンポーネント１４０に設置するように、両方のコンポーネントの縦軸Ｌは実質的に位置合わせがなされる。このステップは、存在する場合、指状突起１５９の先細り部分によって支持される。歯根尖側歯科コンポーネント１４０の歯冠側界面１５０と、歯冠側歯科コンポーネント１１０の歯根尖側界面１２０が互いに接近するとき、組み立て時の以下のステップは、歯科コンポーネント１１０及び１４０の互いに対する回転方向に依存する。
【０１００】
第１のシナリオでは、歯冠側歯科コンポーネント１１０が既に歯根尖側歯科コンポーネント１４０に正しく位置合わせされている場合、歯冠側界面１５０の指状突起１５９は、歯根尖側界面１２０の割出し部１２４に容易に入る。その結果、歯冠側コンポーネント１１０の割出し面１２５は、両方の回転方向で、歯根尖側歯科コンポーネント１４０の割出し面１５５に向く。この対向関係は、２つの歯科コンポーネント１１０及び１４０間の回転係止を確立する。図示の例では、２つの歯科コンポーネント１１０及び１４０間の回転係止は、縦軸Ｌに平行な割出し面１２５及び１５５の向きに起因する形状の適合によって引き起こされる。上述のように、割出し面１２５及び１５５はまた、上記の範囲で傾斜し得、それにより、回転係止が自動係止摩擦により確立される。
【０１０１】
図１ｄの断面図に示されるように、歯冠側歯科コンポーネント１１０と歯根尖側歯科コンポーネント１４０は、歯冠側歯科コンポーネントの歯根尖側に向く嵌合面１２１が歯根尖側歯科コンポーネント１４０の歯冠側に向く嵌合面１５１に接触するまで一緒にされる。
【０１０２】
最終的な位置では、すなわち歯冠側歯科コンポーネント１１０と歯根尖側歯科コンポーネント１４０との互いに対する嵌合関係において、割出し部１５４の最も先端の部分は、好ましくは、誘導部１２２の最も先端の部分までの距離にある。対応する様式で、割出し部１２４の最も歯冠側の部分は、好ましくは、誘導部１５２の最も歯冠側の部分までの距離にある。図示の実施形態では、歯根尖側歯科コンポーネントの誘導面１５３の歯冠側の部分は、歯冠側歯科コンポーネント１１０の収容面１２７の歯冠側の部分までの距離にある。同様に、歯冠側歯科コンポーネント１１０の誘導面１２３の歯根尖側部分は、歯根尖側歯科コンポーネント１４０の収容面１５７の歯根尖側部分に対してある距離にある。この配置は、界面１２０及び１５０のレベルでの歯科コンポーネント１１０、１４０の内側を密封するための効果的な密封を達成するために、嵌合面１２１と１５１の間で環状の接触を確実にするために好ましい。
【０１０３】
歯根尖側界面１２０の半径方向に面する支持面１２８及び／または歯冠側界面１５０の半径方向支持面１５８は、特に、２つの歯科コンポーネント１１０及び１４０が歯科用スクリュー１７０を使用して固定される場合に、以下でさらにより詳細に説明するように、ツーピースのアバットメントの内側部分の密封を補助するように構成され得る。さらに、または代替として、Ｏリングが、好ましくは嵌合面１２１及び１５１及び／または支持面１２８及び１５８の少なくとも１つにおいて、少なくとも１つの溝と組み合わされ、シールを形成するために使用することができる。
【０１０４】
歯冠側歯科コンポーネント１１０が歯根尖側歯科コンポーネント１４０と正しく位置合わせされていない別のシナリオでは、歯冠側歯科コンポーネント１１０の誘導部１２２は、まず、歯根尖側歯科コンポーネント１４０の誘導部１５２と接触する。より具体的には、誘導部１５２の誘導面の部分１５３ａ及び１５３ｂの少なくとも一方は、誘導面の部分１２３ａ及び１２３ｂの一方、または誘導部１２２の取付接触面１２３ｃと接触する。
【０１０５】
誘導面１５３と取り付け接触面１２３ｃとの間に最初の接触が確立された場合、歯科専門家は次に、歯冠側歯科コンポーネント１１０及び歯根尖側歯科コンポーネント１４０を互いに対して縦軸Ｌ中心の回転方向の１つ、つまり時計回りまたは反時計回りで回転させることができる。上述のように、この回転は、半径方向に面する支持面１２８によって支持され得る。
【０１０６】
この回転により、歯冠側界面１５０の誘導面の部分１５３ａ及び１５３ｂの１つは、歯根尖側界面１２０の誘導面の部分１２３ａ及び１２３ｂの１つと接触することになる。両方の誘導面の部分１２３ａ及び１２３ｂは、次の割出し部に向かっている表面プロファイルを有しているため、歯根尖側歯科コンポーネント１４０の誘導部１５２は、回転方向及び縦方向に移動することにより、歯冠側歯科コンポーネント１１０の割出し部１２４に近づく。言い換えると、誘導部の構成及び協働は、歯科コンポーネントが縦軸の周りで他方に対して回転するとき、歯科コンポーネントの少なくとも一方が他方に対し縦方向の運動をするよう促す。同じことは、歯冠側歯科コンポーネント１１０の誘導部１２２と歯根尖側歯科コンポーネント１４０の割出し部１５４との間の相互作用にも当てはまる。その結果、歯冠側歯科コンポーネント１１０を歯根尖側歯科コンポーネント１４０に取り付ける歯科専門家は、これらのコンポーネントを最終的な位置に係合する方向に誘導される。
【０１０７】
そうすることで、歯科専門家は、歯冠側歯科コンポーネント１１０と歯根尖側歯科コンポーネント１４０との間の所定の相対的な位置に到達する触覚フィードバックを受け取る。このフィードバックは、歯冠側歯科コンポーネント１１０の境界線１２４ａ、１２４ｂにある誘導面の部分１２３ａ、１２３ｂと割出し面１２５との間の勾配の不連続の変化によって引き起こされる。
【０１０８】
最終的な位置に到達すると、歯科専門家は、歯科用スクリュー１７を締めることができ、歯冠側歯科コンポーネント１１０の雌ねじ１１２（存在する場合）から外れ、歯根尖側歯科コンポーネント１４０の貫通穴１４１に位置する雌ねじ１４２と係合するようにする。これにより、歯科コンポーネント１１０及び１４０が組み立てられる。
【０１０９】
しかし、２つの歯科コンポーネント１１０及び１４０が最終的な位置にない場合、歯科用スクリュー１７０の長さが短すぎるので、望ましくない相対的な位置での固定を防ぐために、ねじ１１２の位置及び歯科用スクリュー１７０の所定の長さに起因してそれらは係合しない。当業者は、歯根尖側歯科コンポーネント１４０の歯根尖側界面１９０がインプラントスクリュー１８１なしで歯科インプラント１８０への取り付けを可能にする場合、雌ねじ１４２はまた、歯根尖側歯科コンポーネント１４０の止まり穴内に配置され得ることを理解するであろう。
【０１１０】
必要に応じて、歯冠側歯科コンポーネント１１０の雌ねじ１１２を使用して、ツーピースのアバットメントの分解を補助することもできることに留意されたい。第１のステップとして、歯科用スクリュー１７０の係合部１７１に係合するツールを使用して歯科用スクリュー１７０を緩めて取り外す。次のステップでは、雌ねじ１１２及び１４２の内径よりも小さい直径を有するねじの先端が、インプラントスクリュー１８１の頭部または上記の止まり穴の底部のいずれかと接触するまで、解体用スクリュー（図示せず）を挿入し、雌ねじ１１２との螺合もたらす。次に、さらにねじ込み、歯冠側歯科コンポーネント１１０が歯根尖側歯科コンポーネント１４０から引き離される。
【０１１１】
本発明の別の実施形態が図２ａ及び図２ｂに示されている。図２ａは、歯冠側コンポーネント２１０を示している。図１に示した先の実施形態とは異なり、歯冠側歯科コンポーネント２１０の誘導面２２３は、取り付け接触面を有していない。代わりに、歯根尖側歯科コンポーネント２４０には、取り付け接触面２５３ｃが形成されている（図２ｂを参照）。
【０１１２】
さらに、誘導面２５３、割出し面２５５、及び収容面２５７の一部（上記のように）によって画定される指状突起２５９は、スナップフィット機構２５６を含む。突起２５９のこのスナップフィット機構２５６は、半径方向外側に延びる先細りの突起として形成される（図２ａを参照）。対応するスナップフィット機構２２６は、歯冠側歯科コンポーネント２１０の周囲の壁へと外向きに延びる先細の半径方向の凹部として、割出し部２２４のそれぞれに形成される。
【０１１３】
組み立てられると、歯根尖側歯科コンポーネント２４０の指状突起２５９は、歯冠側歯科コンポーネント２１０の支持面２２８と接触すると、内側に曲がる。歯根尖側歯科コンポーネント２４０の歯冠側界面２５０が歯冠側歯科コンポーネント２１０の歯根尖側界面の中へとさらに挿入されると、突起２５９は、割出し部２２４の凹部２２６に到達し、好ましくはそれらの初期位置にスナップバックする。
【０１１４】
この構成では、先の実施形態の歯科用スクリュー１７０は、歯根尖側歯科コンポーネント２４０の貫通孔２４１に位置する雌ねじと一緒に省かれてもよい。言い換えると、スナップフィット機構２５６及び２２６は、歯科用スクリュー１７０の機能に置き換えることができる。これにより、歯冠側歯科コンポーネント２１０を歯根尖側歯科コンポーネント２４０に、より簡単に設置される。
【０１１５】
さらに、スナップフィット機構の配置の結果として、歯冠側歯科コンポーネント２１０の雌ねじ２１２は、互いに対して、歯冠側歯科コンポーネント２１０及び歯根尖側歯科コンポーネント２４０を配置している間、インプラントスクリュー（図示せず）を保持することにより、組み立てている間に補助することができる。スナップフィット機構２２６及び２５６が係合すると、歯科用スクリュー（図示せず）を使用して、歯科コンポーネント２１０及び２４０を互いに固定することができる（図１ｂを参照）。あるいは、インプラントスクリュー（図示せず）を挿入し、歯科インプラントのねじ山と係合させて、歯冠側歯科コンポーネント２１０を歯根尖側歯科コンポーネント２４０及び歯科インプラント（図示せず）に固定することができる。
【０１１６】
図１に示される実施形態との別の違いは、嵌合面２２１及び２５１の幾何学形状である。歯冠側歯科コンポーネント２１０の嵌合面２２１及び歯根尖側歯科コンポーネント２４０の嵌合面２５１は両方とも起伏のある構成を有する。言い換えれば、嵌合面２２１及び２５１は、縦軸Ｌに沿って（またはその方向に）起伏しながら、この軸の周りに延びる。接触において、嵌合面２２１及び２５１は、上述のようにシールとして機能し得る。さらに、起伏のある表面２５１は、歯肉の周囲の軟部組織に適合させて、２つの部分のアバットメントの歯根尖側歯科コンポーネント１４０を隠すことができる。さらに、表面２５１の起伏は、歯冠側歯科コンポーネント２１０と歯根尖側歯科コンポーネント２４０との間の最終的な位置に到達した場合に、より良好な視覚的表示を提示する。
【０１１７】
当業者は、この実施形態に関連する異なる構成のいずれかまたはすべて、すなわち、取り付け接触面、スナップフィット機構、及び嵌合面の幾何学形状のいずれかまたはすべてが、第１の実施形態に適用され得ることを理解するであろう。
【０１１８】
第３の実施形態は、図３ａ〜図３ｄを参照して以下に説明される。歯科コンポーネント３１０及び３４０は、図２ａ及び図２ｂに関して図解及び説明された構成と基本的に同じである誘導面３５３の構成を有する。第３の実施形態では、嵌合面３２１及び３５１は、縦軸Ｌに垂直な平面にリング状の表面として形成され、前述の軸の周りに延びる。
【０１１９】
加えて、歯冠側歯科コンポーネント３１０及び歯根尖側歯科コンポーネント３４０は、半径方向で支持面３２８ｂ及び３５８ｂのそれぞれに面する先行する実施形態に関して既に説明した支持面３２８ａ及び３５８ａを含む。これらの支持面３２８ｂ及び３５８ｂは、円筒形状を有する。図３ａ及び図３ｄに示されるように、半径方向に面する支持面３２８ｂ及び３５８ｂは、半径方向内側に位置し、誘導部３２２及び３５２ならびに割出し部３２４及び３５４にそれぞれ隣接する。
【０１２０】
半径方向に面する支持面３５８ｂは、界面３４０の突起３５９に対して構造上の支持を設ける。半径方向に面する支持面３２８ｂ及び３５８ｃはまた、歯科コンポーネント３１０及び３４０の組み立て中に初期の軸方向の位置合わせを促進する。さらに、円筒形の半径方向に面する支持面３２８ｂ及び３５８ｂは、障害物として作用し、歯科コンポーネント３１０及び３４０の内側にアクセスしにくくするため、追加の密封効果を有する。
【０１２１】
図３ａに示される歯冠側歯科コンポーネント３１０及び図３ｄに示される歯根尖側歯科コンポーネント３４０は、円筒座標系とともに示されている。これらの円筒座標系に基づいて、図３ｂ及び図３ｃは、それぞれ、歯冠側歯科コンポーネント３１０及び歯根尖側歯科コンポーネント３４０の誘導部３２２、３５２及び割出し部３２４、３５４のプロファイルを示す。図３ｂでは、より良好に理解するように、歯根尖側界面３２０の誘導部３２２及び割出し部３２４の異なる部分が以下に詳細に示され、説明される。
【０１２２】
各割出し部３２４のプロファイルは、境界点３２４ａ’と３２４ｂ’の間に位置する。これらの境界点３２４ａ’及び３２４ｂ’のそれぞれに隣接して、割出し面３２５がある。割出し面３２５は、やがて収容面３２７によって接続される。図３ｂに示すように、収容面３２７は、座標軸ｈに垂直に、または座標軸φに平行に主に延びるプロファイルを有することが好ましい。
【０１２３】
図示の例示的な実施形態では、割出し面３２５は、縦軸Ｌまたは座標軸ｈに平行に延びている。その結果、境界点３２４ａ’及び３２４ｂ’及び割出し面３２５における接線の勾配は無限である、すなわちそれらは、プロファイルの不連続部に沿った勾配を表す。既に上で説明したように、そのような勾配は、縦軸Ｌ中心の回転方向での歯根尖側界面３２０と歯冠側界面３５０との間の形状適合をもたらす。
【０１２４】
さらに、プロファイルに割出し面３２５がない場合、同じ勾配が存在する。ここで、プロファイルの境界点３２４ａ’及び３２４ｂ’、すなわち各誘導面３２２の端部に隣接する境界線は、縦軸Ｌを中心とする回転方向の係止機構として作用する。
【０１２５】
それにも関わらず、軸ｈに対して傾斜している表面プロファイルを備える割出し面も想定されている。そのような割出し面は、線形及び／または湾曲したプロファイルを有する表面として具体化することができる。誘導部３２２及び割出し部３２４のプロファイルが正弦関数などの連続的な関数によって定義される曲線である実施形態では、境界点３２４ａ’及び３２４ｂ’は最大の絶対勾配を備える正弦関数の点として定義される。そのような実施形態では、回転係止機構は、境界点によって少なくとも主に設けられる。有限の勾配により、回転係止は自動係止摩擦によって引き起こされる。
【０１２６】
境界点３２４ａ’と３２４ｂ’との間には、誘導部３２２がある。したがって、境界点３２４ａ’及び３２４ｂ’は、誘導部３２２の一部ではない。好ましくは、誘導部３２２の誘導面３２３は、２つの誘導面の部分３２３ａと３２３ｂを含み、これらは反対の符号の斜面を備えている。さらにより好ましくは、誘導面の部分３２３ａ及び３２３ｂは、図３ｂ及び図３ｃのグラフの座標軸ｈに関して対称である。誘導面の部分３２３ａと３２３ｂは互いに遭遇して、歯冠側歯科コンポーネントの歯根尖側端部で頂点を形成する。歯根尖側角βは好ましくは１２０°〜１７５°の範囲で、より好ましくは１３０°〜１５０°の範囲で形成される。
【０１２７】
図示の実施形態では、割出し部３２４及び誘導部３２２またはそれらの表面のプロファイルは、縦軸Ｌの周りに延びる一方で、縦軸に沿って（またはその方向に）起伏するプロファイルを形成する。そのため、縦軸Ｌを中心にしてプロファイルに沿って動くことは、また、この軸に沿う起伏のある移動を生じる。言い換えれば、プロファイルは、割出し部３２４及び誘導部３２２からなる少なくとも１つの所定の周期を有する信号を形成し得る。したがって、示される例示的な実施形態は、歯冠側歯科コンポーネント３１０及び歯根尖側歯科コンポーネント３４０の両方について縦軸Ｌ中心の３つの連続した周期を含む。
【０１２８】
図３ｃにおいて、参照符号は、歯冠側界面３５０の誘導部３５２及び割出し部３５４によって画定されるプロファイルの部分を指す。各誘導面３５３は、誘導面の部分３５３ａ及び３５３ｂ、ならびに間にある取り付け接触面３５３ｃによって形成される。誘導面の部分３５３ａ及び３５３ｂのプロファイルの外端は、各割出し部３５４の端点を画定する境界点３５４ａ’及び３５４ｂ’に隣接する。歯冠側界面３５０の各境界点３５４ａ’及び３５４ｂ’に、歯根尖側界面３２０の割出し面３２５の勾配に対応するプロファイルの勾配を有する割出し面３５５が隣接する。各割出し部３５４の２つの割出し面３２５のプロファイルの間には、収容面３５７のプロファイルがある。
【０１２９】
図３ｂでは、歯根尖側界面３２０の誘導部３２２及び割出し部３２４のプロファイルが、歯根尖側界面３２０の歯根尖側誘導面の部分３２３ｂが歯冠側界面３５０の誘導面の部分３５３ａと接触している状態で示されている。組み立て中のこれらの誘導面の部分の接触は、反対方向の回転と比較して、プロファイル、すなわち表面の互いに対する回転を少なくともさらに容易にする。図３ｂでは、この接触により、歯冠側界面３５０のプロファイルに対して歯根尖側界面３２０のプロファイルが左に回転する。
【０１３０】
図３ｃでは、歯根尖側界面３２０及び歯冠側界面３５０は、最終的な位置で係合している。この最終的な位置で、割出し面３２５及び３５５は互いに向かい合って、上記の形状適合を引き起こし、その結果、界面３２０及び３５０は互いに対して回転することができない。
【０１３１】
さらに、図３ｃは、最終的な位置において、誘導部３５２の取り付け接触面３５３ｃが割出し部３２４の収容面３２７から離れていることを示している。同様に、誘導部３２２の誘導面３２３は、割出し部３５４の収容面３５７と離れている。すでに上述したように、このことは、効果的なシールを形成するために、嵌合面３２１及び３５１が互いに密接に接触することを生じる。
【０１３２】
非限定的な例として、特にこの実施形態として、誘導部３２２及び割出し部３５４の少なくとも一方、好ましくは両方のプロファイル（複数可）は、好ましくは７５°〜８５°の間、より好ましくは７７°〜８１°の間、さらにより好ましくは約７９°の角度の範囲（または角度で測る長さ）を有することができる。割出し部３２４及び／または誘導部３５２の少なくとも一方、好ましくは両方のプロファイル（複数可）は、好ましくは３５〜４５°の間、より好ましくは３９〜４３°の間、さらにより好ましくは約４１°の角度の範囲（または角度で測る長さ）を有することができる。すでに上で説明したように、１つの歯科コンポーネントの割出し部（複数可）の角度の範囲と誘導部（複数可）の角度の範囲の比率は異なる場合がある。さらにより好ましくは、それらは実質的に異なり、すなわち、１．５〜８または１／８〜１／２の範囲、あるいは３〜６または１／６〜１／３の範囲である。
【０１３３】
さらに、縦軸Ｌに沿った割出し部３２４の範囲または深さは実質的に１ｍｍ程度であってもよい。
【０１３４】
組み立てられた状態では、縦軸Ｌに沿って、歯科コンポーネントのうちの１つの誘導部の先端から、すなわち誘導面３２３または取り付け接触面３５３ｃの頂点から、歯科コンポーネントの他方の先端、すなわち取り付け接触面３５３ｃまたは誘導面３２３の頂点までの距離は、正しく組み立てられた状態の歯科用スクリュー（図示せず）と歯根尖側歯科コンポーネント３４０との間の干渉するねじの長さよりも大きいことが好ましい。その結果、歯根尖側歯科コンポーネント３４０と歯冠側歯科コンポーネント３１０が嵌合する関係にない限り、歯科用スクリューのねじは係合できない。
【０１３５】
図４に移ると、図４ａは、歯冠側歯科コンポーネント４１０及び対応する歯根尖側歯科コンポーネント４４０のさらに別の実施形態を示している。概して、図４ａ及び図４ｂに示されている歯科コンポーネントは、それぞれ図３ａ及び図３ｄに示されている歯科コンポーネントに対応している。しかし、図３ｄの歯冠側歯科コンポーネント３４０とは対照的に、図４ｂの歯冠側歯科コンポーネント４４０は、円筒状の支持面３５８ｂの冠状端部の丸い歯冠側縁部の代わりに、支持面４５８ｂの歯冠側縁部に円錐台状整合面４５８ｃを含む。
【０１３６】
円錐台状整合面４５８ｃは、半径方向外側に面している。それは、歯根尖側歯科コンポーネント４４０の円錐台状整合面４５８ｃが、歯冠側歯科コンポーネント４１０の対応する半径方向内向きの円錐台状整合面４２８ｃと接触すると、組み立て中に２つの歯科コンポーネント間の初期の軸方向の位置合わせを達成するのに役立つ。歯根尖側歯科コンポーネント４４０の構造にしたがって、半径方向内側に面する円錐台状整合面４２８ｃは、半径方向内側に面する支持面４２８ｂの歯冠側端部に隣接する。
【０１３７】
図５ａ及び図５ｂは、それぞれ、歯科用組立体５０１及び歯根尖側歯科コンポーネント５４０のさらに別の実施形態を示している。この実施形態では、嵌合面５２１及び５５１は、歯冠側歯科コンポーネント５１０及び歯根尖側歯科コンポーネント５４０の外周に、前の実施形態の嵌合面のように配置される。しかし、歯冠側コンポーネント５１０の嵌合面５２１及び歯根尖側歯科コンポーネント５４０の嵌合面５５１は、縦軸Ｌに対して角度αだけ傾斜している。この角度αにより、嵌合面５２１及び５５１は、縦軸Ｌに垂直な平面に延在しない。言い換えると、角度αは９０°とは異なる。代わりに、この角度は、これまでに定義された範囲の値のいずれか１つを有することが好ましい。これらの角度付きまたは円錐台状の嵌合面５２１及び５５１は、前述の実施形態のいずれにも、また以下の実施形態にも適用することができる。
【０１３８】
さらに、歯根尖側コンポーネント５４０の嵌合面５５１の角度αａは、歯冠側コンポーネント５１０の嵌合面５２１の角度αｃと異なっていてよく、これらの表面間の接触は一般に、縦軸Ｌ中心の線での接触である。しかし、角度αａ、αｃは両方ともこれまでに定義された範囲の値を有する。これらの角度αａとαｃとの差は、好ましくは１°から５°の範囲、より好ましくは１°から３°の範囲、特に２°である。好ましくは、縦軸Ｌに関して、角度αａは角度αｃよりも大きい。さらに、これらの角度αａとαｃとの差は、好ましくは、縦軸Ｌに関して、または歯科コンポーネント５１０と５４０の周囲または外壁よりも縦軸により近い嵌合面５２１及び５５１の半径方向内側で確立される線での接触をもたらす。これにより、歯冠側歯科コンポーネント５１０及び歯根尖側歯科コンポーネント５４０の縦軸方向の力に対するより良好な応力分布がもたらされる。さらに、これらのコンポーネントが組み立てられた状態でシールを形成することができる。
【０１３９】
先の実施形態との別の違いは、割出し部５５４が収容面を含まないことである。代わりに、割出し部５５４は境界線５５４ａ及び５５４ｂを有し、これらの各々に割出し面５５５が隣接している。嵌合面５５１は、収容面の代わりに、先の実施形態よりも半径方向さらに内側に延び、対応する歯根尖側歯科コンポーネント５１０の誘導面は、最終的な位置にあるときに嵌合面５５１に面する。その結果、嵌合面５５１の一部のみが次に位置する、すなわち縦軸Ｌに沿って見たとき、誘導部５５２及び割出し部５５４の外側に向かい、半径方向の嵌合面５５１の残りの部分は、誘導部５５２及び割出し部５５４の下に位置する。
【０１４０】
図５ｂに示すように、誘導面の部分５５３ａ及び５５３ｂを備えた誘導面５５３、ならびに取り付け接触面５５３ｃ及び隣接する割出し面５５５は、円筒状支持面５５８ｂから外向きに延びる突起の幾何学形状を実質的に画定する。この突起の外面は、支持面５５８ａを形成する。その結果、先の実施形態とは対照的に、半径方向外向きの支持面５５８ａは、嵌合面５５１まで延在しない。代わりに、上述の表面によって規定される突起と嵌合面５５１との間に隙間が存在する。
【０１４１】
先に述べたように、割出し部は、構造的機構として境界線５５４ａ及び５５４ｂのみを有し得ることも想定される。この場合、割出し面も収容面も存在しない。これまでに定義したように、境界線での勾配は、このとき無限であると定義され、したがって、形状適合に基づく回転係止機能を設けるのに十分である。
【０１４２】
さらに、図３ａ〜図３ｃに示す歯冠側コンポーネント３１０は、図５の歯根尖側コンポーネントに対応する。これは、図４ａに示す歯冠側歯科コンポーネント４１０の割出し部及び誘導部にも当てはまる。
【０１４３】
歯科コンポーネント６４０の別の実施形態が図６ａ及び図６ｂに示されており、これも本発明の原理に基づいている。これらの図は、歯冠側界面６５０を備えた歯根尖側歯科コンポーネント６４０を示しているが、当業者は、少なくとも前述の説明から、歯根尖側歯科コンポーネント６４０に関して最終的な位置に到達することを目的とする歯冠側歯科コンポーネントについて対応する界面をいかに形作るか認識する。この場合、２つのコンポーネントが半径方向及び回転方向に位置合わせされている。
【０１４４】
歯根尖側歯科コンポーネント６４０の歯冠側界面６５０は、その周縁に嵌合面６５１を含む。半径方向内側に位置する嵌合面６５１の縁部に隣接して、円筒形の外向きの支持面６５８がある。外向きの支持面６５８の歯冠側端部に、円錐台状のシール面６５８ｃがある。このシール面６５８ｃ及び支持面６５８は、図４に示す実施形態に関して説明したものと同じ構造、機能及び利点を有する。
【０１４５】
前の実施形態とは対照的に、嵌合面６５１は、前述の誘導部及び割出し部の機能も有する、起伏のあるリング形の表面である。より具体的には、誘導部６５２及び割出し部６５４は、嵌合面６５１の起伏によって具現化される。先の実施形態と同様に、誘導部６５２の表面は、割出し部６５４の表面よりも歯根尖側歯科コンポーネント６４０の歯冠側端部の近傍に位置する。
【０１４６】
また、縦軸Ｌの周りの割出し部の延在は、嵌合面の幅を横切る２つの境界線６５４ａ及び６５４ｂによって画定される。起伏のある嵌合面６５１は、正弦関数などの連続的な関数によって定義されるため、境界線６５４ａ及び６５４ｂは、最大絶対勾配を有する嵌合面６５１の接線に位置する。自動係止は、嵌合面６５１の表面特性と、境界線６５４ａ及び６５４ｂでの最大勾配に関連する、この関数によって記述される振幅によって成し遂げることができる。言い換えれば、振幅が十分に大きい場合、境界線６５４ａ及び６５４ｂでの勾配は、別の歯科コンポーネントに対する歯科コンポーネント６４０の自動係止効果に十分である。
【０１４７】
前の実施形態と比較して、図６ａ及び図６ｂに示される歯科コンポーネントの構造は単純化されている。表面のプロファイルの不連続性が欠落しているため、歯科専門家にとって、歯科コンポーネントの最終的な位置に到達したことを示す触覚フィードバックが少なくなる場合がある。しかし、プロファイルの振幅と表面の粗さを設定して、歯科コンポーネントが上部コンポーネントの重量に起因して（重力に関連して）最終的な位置まで互いにスライドするようにすることによって、歯科用組立体はそれ自体の嵌合関係を見出すことができる。
【０１４８】
上述の異なる実施形態では、歯根尖側界面及び歯冠側界面の異なる部分の構成は、歯科コンポーネント間で切り替えられてもよい。言い換えれば、嵌合面、誘導部、割出し部、及び／または半径方向に面する支持面の配置及び／または構成は、歯科コンポーネント上で逆に形成することができる。例えば、上に示した歯根尖側歯科コンポーネントの歯冠側界面の誘導部及び割出し部の形状は、歯冠側歯科コンポーネントの歯根尖側界面に形成することができ、逆もまた然りである。
【符号の説明】
【０１４９】
参照符号
以下の参照符号は、前述の実施形態で使用される特徴の一般的な参照番号である。詳細な説明及び図面では、最初の数字として図の番号が補足されている。また、読みやすくするために、添付の特許請求の範囲には一般的な参照符号のみが含まれている。
１  歯科用組立体
１０歯冠側歯科コンポーネント
１１貫通穴
１２雌ねじ
１３スクリューシート
２０歯冠側歯科コンポーネントの歯根尖側界面
２１歯根尖側に面する嵌合面
２２誘導部
２３歯根尖側に面する誘導面
２３ａ、２３ｂ誘導面の部分
２３ｃ取り付け接触面
２４割出し部
２４ａ、２４ｂ境界線
２４ａ’、２４ｂ’境界点
２５割出し面
２６スナップフィット機構
２７歯根尖側に面する収容面
２８、２８ａ、２８ｂ半径方向に面する支持面
２８ｃ円錐台状整合面
４０歯根尖側歯科コンポーネント
４１貫通穴
４２雌ねじ
５０歯根尖側歯科コンポーネントの歯冠側界面
５１歯冠側に面する嵌合面
５２誘導部
５３歯冠側に面する誘導面
５３ａ、５３ｂ誘導面の部分
５３ｃ取り付け接触面
５４割出し部
５４ａ、５４ｂ境界線
５４ａ’、５４ｂ’境界点
５５割出し面
５６スナップフィット機構
５７歯冠側に面する収容面
５８、５８ａ組み立てられた状態の半径方向の支持面
５８ｂ半径方向に面する支持面と整合面
５８ｃ円錐台状整合面
５９歯冠側に面する界面の突起
７０歯科用スクリュー
７１係合部
８０歯科インプラント
８１インプラントスクリュー
９０歯根尖側界面
Ｌ  縦軸
ｒ  極座標
ｈ  縦座標
α  嵌合面角度
αａ歯根尖側歯科コンポーネントの嵌合面角度
αｃ歯冠側歯科コンポーネントの嵌合面角度
β  頂点の角度
φ  角度座標
【図１ａ−１ｂ】
2020530329.tif 000003
【図１ｃ−１ｄ】
2020530329.tif 000004
【図１ｅ】
2020530329.tif 000005
【図２ａ−２ｂ】
2020530329.tif 000006
【図３ａ−３ｄ】
2020530329.tif 000007
【図４ａ−４ｂ】
2020530329.tif 000008
【図５ａ−５ｂ】
2020530329.tif 000009
【図６ａ−６ｂ】
2020530329.tif 000010
【国際調査報告】
2020530329.tif 000011
2020530329.tif 000012
2020530329.tif 000013